(57)【要約】【課題】静止画の撮影中にアスペクト比が異なる動画撮影に切換えられた場合に、撮影者が意図しない構図から動画撮影が開始されることを防止することができる撮像装置を提供する。【解決手段】システムコントローラ１５が、静止画撮影中に動画レリーズスイッチ９ｃによって動画撮影の指示が入力された場合、領域設定部１５ｉが設定する変換領域の縦横比率を時系列に沿って小さくしていき、固定領域および変換領域を含む画像全体の縦横比率が第２比率になった時点で変換領域の縦横比率を固定し、この時点以後に生成された撮影画像の画像データを動画データとして揮発性メモリ１４に記憶させる制御を行う。【選択図】図１
2011259244.tif 000002
【特許請求の範囲】
【請求項１】
視野領域からの光を集光するレンズ部と、前記レンズ部が集光した光を用いて電子的な画像データを連続的に生成する撮像部と、前記撮像部が生成した画像データを記憶する記憶部と、前記撮像部が生成する画像データに対応する画像を表示する表示部と、撮影指示を含む情報が入力される入力部とを備え、撮像した画像の縦横比が互いに異なる静止画撮影および動画撮影が可能な撮像装置であって、
前記撮像部が生成する画像データに含まれる画像に対し、静止画撮影時の画像の縦横比率である第１比率と、動画撮影時の画像の縦横比率であって前記第１比率より小さい縦横比率である第２比率との間の縦横比率で切出した撮影画像を生成する画像切出し部と、
前記画像切出し部が生成した前記撮影画像の領域内で縦横比率を固定する固定領域および縦横比率を変換する変換領域を設定する領域設定部と、
前記領域設定部が設定した前記変換領域の縦横比率を変換することにより、前記固定領域を含む画像全体の縦横比率が前記第２比率であるトリミング画像を生成するトリミング部と、
静止画撮影中に前記入力部によって動画撮影の指示が入力された場合、前記領域設定部が設定する前記変換領域の縦横比率を時系列に沿って小さくしていき、前記固定領域および前記変換領域を含む画像全体の縦横比率が前記第２比率になった時点で前記変換領域の縦横比率を固定し、前記時点以後に生成された前記撮影画像の画像データを動画データとして前記記憶部に記憶させる制御を行う制御部と、
を備えたことを特徴とする撮像装置。
【請求項２】
前記トリミング部は、前記変換領域における画像データの垂直画素列の隣接する垂直画素列とのピッチ幅を前記固定領域から離れるほど大きくすることを特徴とする請求項１に記載の撮像装置。
【請求項３】
前記制御部は、前記画像切出し部によって生成される前記撮影画像の縦横比率が前記第２比率に近づくにつれて、前記トリミング部が同じ縦横比率で時間的に連続して生成する前記トリミング画像の数を少なくする制御を行うことを特徴とする請求項１または２に記載の撮像装置。
【請求項４】
前記撮像部が生成する前記画像データに対応する画像に含まれる被写体の顔を検出する顔検出部を備え、
前記領域設定は、前記顔検出部が検出した被写体の顔領域を少なくとも含む領域を前記固定領域として設定することを特徴とする請求項１〜３のいずれか一つに記載の撮像装置。
【請求項５】
前記入力部は、前記表示部の画像表示面上に設けられ、外部からの物体の接触位置に応じた信号の入力を受け付けるタッチパネルを備え、
前記領域設定部は、前記タッチパネルにおける外部からの物体の接触位置に応じた領域を前記固定領域として設定することを特徴とする請求項１〜３のいずれか一つに記載の撮像装置。
【請求項６】
視野領域からの光を集光するレンズ部と、前記レンズ部が集光した光を用いて電子的な画像データを連続的に生成する撮像部と、前記撮像部が生成した画像データを記憶する記憶部と、前記撮像部が生成する画像データに対応する画像を表示する表示部と、動画撮影の指示が入力される入力部とを備え、撮像した画像の縦横比が互いに異なる静止画撮影および動画撮影が可能な撮像装置に実行させる画像変換プログラムであって、
前記撮像部が生成する画像データに含まれる画像に対し、静止画撮影時の画像の縦横比率である第１比率と、動画撮影時の画像の縦横比率であって前記第１比率より小さい縦横比率である第２比率との間の縦横比率で切出した撮影画像を生成する画像切出しステップと、
前記画像切出しステップが生成した前記撮影画像の領域内で縦横比率を固定する固定領域および縦横比率を変換する変換領域を設定する領域設定ステップと、
前記領域設定ステップが設定した前記変換領域の縦横比率を変換することにより、前記固定領域を含む画像全体の縦横比率が前記第２比率であるトリミング画像を生成するトリミングステップと、
静止画撮影中に前記入力部によって動画撮影の指示が入力された場合、前記領域設定部が設定する前記変換領域の縦横比率を時系列に沿って小さくしていき、前記固定領域および前記変換領域を含む画像全体の縦横比率が前記第２比率になった時点で前記変換領域の縦横比率を固定し、前記時点以後に生成された前記撮影画像の画像データを動画データとして前記記憶部に記憶させる制御を行う変換ステップと、
を実行させることを特徴とする画像変換プログラム。
【発明の詳細な説明】
【技術分野】
【０００１】
本発明は、被写体を撮像して電子的な画像データを生成する撮像装置および画像変換プログラムに関する。
【背景技術】
【０００２】
近年、デジタルカメラなどの撮像装置は、多様な撮影シーンにそれぞれ適した撮影を行うことができる。たとえば、撮像した画像データのアスペクト比の値と異なるアスペクト比の値で画像データを記憶媒体に記憶させる場合に、アスペクト比の値が異なることにより生じる画像データの欠落や余白の発生を防止し、記録媒体に記録できる技術が知られている（特許文献１参照）。この技術では、アスペクト比変換手段が、撮像した画像データのアスペクト比の値を記憶媒体のアスペクト比の値に変換して記憶させる。
【先行技術文献】
【特許文献】
【０００３】
【特許文献１】特開２００８−７２２３１号公報
【発明の概要】
【発明が解決しようとする課題】
【０００４】
ところで、近年のデジタルカメラは、静止画のみならず、動画も撮影することができるうえ、静止画の撮影中に動画撮影に切換えて瞬時に動画撮影を行うことができるのが一般的である。しかしながら、静止画の撮影中に動画撮影に切換えられた場合に、静止画のアスペクト比と動画のアスペクト比とが異なるため、撮影者の意図しない構図から動画撮影が開始されるという問題点があった。
【０００５】
本発明は、上記に鑑みてなされたものであって、静止画の撮影中にアスペクト比が異なる動画撮影に切換えられた場合に、撮影者が意図しない構図から動画撮影が開始されることを防止することができる撮像装置および画像変換プログラムを提供することを目的とする。
【課題を解決するための手段】
【０００６】
上述した課題を解決し、目的を達成するために、本発明に係る撮像装置は、視野領域からの光を集光するレンズ部と、前記レンズ部が集光した光を用いて電子的な画像データを連続的に生成する撮像部と、前記撮像部が生成した画像データを記憶する記憶部と、前記撮像部が生成する画像データに対応する画像を表示する表示部と、撮影指示を含む情報が入力される入力部とを備え、撮像した画像の縦横比が互いに異なる静止画撮影および動画撮影が可能な撮像装置であって、前記撮像部が生成する画像データに含まれる画像に対し、静止画撮影時の画像の縦横比率である第１比率と、動画撮影時の画像の縦横比率であって前記第１比率より小さい縦横比率である第２比率との間の縦横比率で切出した撮影画像を生成する画像切出し部と、前記画像切出し部が生成した前記撮影画像の領域内で縦横比率が固定される固定領域および縦横比率を変換する変換領域を設定する領域設定部と、前記領域設定部が設定した前記変換領域の縦横比率を変換することにより、前記固定領域を含む画像全体の縦横比率が前記第２比率であるトリミング画像を生成するトリミング部と、静止画撮影中に前記入力部によって動画撮影の指示が入力された場合、前記領域設定部が設定する前記変換領域の縦横比率を時系列に沿って小さくしていき、前記固定領域および前記変換領域を含む画像全体の縦横比率が前記第２比率になった時点で前記変換領域の縦横比率を固定し、前記時点以後に生成された前記撮影画像の画像データを動画データとして前記記憶部に記憶させる制御を行う制御部と、を備えたことを特徴とする。
【０００７】
また、本発明に係る撮像装置は、上記発明において、前記トリミング部は、前記変換領域における画像データの垂直画素列の隣接する垂直画素列とのピッチ幅を前記固定領域から離れるほど大きくすることを特徴とする。
【０００８】
また、本発明に係る撮像装置は、上記発明において、前記制御部は、前記画像切出し部によって生成される前記撮影画像の縦横比率が前記第２比率に近づくにつれて、前記トリミング部が同じ縦横比率で時間的に連続して生成する前記トリミング画像の数を少なくする制御を行うことを特徴とする。
【０００９】
また、本発明に係る撮像装置は、上記発明において、前記撮像部が生成する前記画像データに対応する画像に含まれる被写体の顔を検出する顔検出部を備え、前記領域設定は、前記顔検出部が検出した被写体の顔領域を少なくとも含む領域を前記固定領域として設定することを特徴とする。
【００１０】
また、本発明に係る撮像装置は、上記発明において、前記入力部は、前記表示部の画像表示面上に設けられ、外部からの物体の接触位置に応じた信号の入力を受け付けるタッチパネルを備え、前記領域設定部は、前記タッチパネルにおける外部からの物体の接触位置に応じた領域を前記固定領域として設定することを特徴とする。
【００１１】
また、本発明に係る画像変換プログラムは、視野領域からの光を集光するレンズ部と、前記レンズ部が集光した光を用いて電子的な画像データを連続的に生成する撮像部と、前記撮像部が生成した画像データを記憶する記憶部と、前記撮像部が生成する画像データに対応する画像を表示する表示部と、動画撮影の指示が入力される入力部とを備え、撮像した画像の縦横比が互いに異なる静止画撮影および動画撮影が可能な撮像装置に実行させる画像変換プログラムであって、前記撮像部が生成する画像データに含まれる画像に対し、静止画撮影時の画像の縦横比率である第１比率と、動画撮影時の画像の縦横比率であって前記第１比率より小さい縦横比率である第２比率との間の縦横比率で切出した撮影画像を生成する画像切出しステップと、前記画像切出しステップが生成した前記撮影画像の領域内で縦横比率が固定される固定領域および縦横比率を変換する変換領域を設定する領域設定ステップと、前記領域設定ステップが設定した前記変換領域の縦横比率を変換することにより、前記固定領域を含む画像全体の縦横比率が前記第２比率であるトリミング画像を生成するトリミングステップと、静止画撮影中に前記入力部によって動画撮影の指示が入力された場合、前記領域設定部が設定する前記変換領域の縦横比率を時系列に沿って小さくしていき、前記固定領域および前記変換領域を含む画像全体の縦横比率が前記第２比率になった時点で前記変換領域の縦横比率を固定し、前記時点以後に生成された前記撮影画像の画像データを動画データとして前記記憶部に記憶させる制御を行う変換ステップと、を実行させることを特徴とする。
【発明の効果】
【００１２】
本発明によれば、制御部が、静止画撮影の撮影中に動画撮影の指示があった場合に、画像切出し部が撮像部によって生成される画像データに対応する撮影領域を切出して生成する撮影画像のアスペクト比の値を第１アスペクト比の値から第２アスペクト比の値に向けて段階的に小さくさせながらトリミング部が時系列に沿って連続的に変換するトリミング画像を記憶部に記憶させる制御を行うとともに、画像切出し部によって生成される撮影画像のアスペクト比の値が第２アスペクト比の値になった時点から画像切出し部が時系列に沿って連続的に生成する撮影画像を記憶部に記憶させる制御を行う。この結果、静止画撮影の撮影中にアスペクト比が異なる動画撮影に切換えられた場合に、撮影者が意図しない構図から動画撮影が開始されることを防止することができるという効果を奏する。
【図面の簡単な説明】
【００１３】
【図１】図１は、本発明の実施の形態１に係る撮像装置の構成を示すブロック図である。
【図２】図２は、本発明の実施の形態１に係る撮像装置の前面側の構成を示す斜視図である。
【図３】図３は、本発明の実施の形態１に係る撮像装置の背面側の構成を示す斜視図である。
【図４】図４は、本発明の実施の形態１に係る撮像装置が静止画撮影または動画撮影で生成する画像の縦横比率の一例を示す図である。
【図５】図５は、本発明の実施の形態１に係る撮像装置の画像切出し部が生成する撮影画像の縦横比率の変化を示す図である。
【図６】図６は、本発明の実施の形態１に係る撮像装置が静止画撮影の撮影中に縦横比率が異なる動画撮影に切換えられた場合に表示部が表示する画像の一例を示す図である。
【図７】図７は、本発明の実施の形態１に係る撮像装置が行う処理の概要を示すフローチャートである。
【図８】図８は、本発明の実施の形態１に係る撮像装置が行う画像変換処理の概要を示すフローチャートである。
【図９】図９は、本発明の実施の形態１に係る撮像装置の画像変換処理のタイムチャートである。
【図１０】図１０は、本発明の実施の形態１に係る撮像装置の画像変換処理を説明する図である。
【図１１】図１１は、本発明の実施の形態１に係る撮像装置の画像変換処理を説明する図である。
【図１２】図１２は、本発明の実施の形態１に係る撮像装置のトリミング部がトリミング画像を生成する生成方法の概要を説明する模式図である。
【図１３】図１３は、本発明の実施の形態１に係る変形例において撮像装置が行う画像変換処理の概要を示すタイムチャートである。
【図１４】図１４は、本発明の実施の形態２に係る撮像装置のトリミング部が撮影画像をトリミング画像に生成する生成方法の概要を説明する模式図である。
【図１５】図１５は、本発明の実施の形態２に係る撮像装置のトリミング部が変換領域の各垂直画素列をそれぞれ水平方向に引き伸ばす際のピッチ幅の算出方法を説明する図である。
【図１６】図１６は、本発明の実施の形態２に係る算出方法の算出結果を用いて算出した変換領域における画像データの隣接する垂直画素列の各ピッチ幅の結果を示す図である。
【発明を実施するための形態】
【００１４】
以下、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１５】
（実施の形態１）
図１は、本発明の実施の形態１に係る撮像装置の構成を示すブロック図である。図２は、本発明の実施の形態１に係る撮像装置の被写体に面する側（前面側）の構成を示す斜視図である。図３は、本発明の実施の形態１に係る撮像装置の撮影者に面する側（背面側）の構成を示す図である。
【００１６】
図１〜図３に示すように、撮像装置１は、レンズ部２と、レンズ駆動機構３と、絞り駆動機構４と、シャッタ駆動機構５と、撮像素子６と、信号処理部７と、音声入出力部８と、操作入力部９と、表示部１０と、タッチパネル１１と、記録媒体インタフェース１２と、不揮発性メモリ１３と、揮発性メモリ１４と、システムコントローラ１５とを備える。
【００１７】
レンズ部２は、フォーカスレンズ及びズームレンズ等によって構成され、所定の視野領域から光を集光する。レンズ部２は、ズームレンズが光軸Ｑ上を移動することによって画角を変化させる光学ズーム機能を有する。
【００１８】
レンズ駆動機構３は、ＤＣモータ等によって構成され、レンズ部２のフォーカスレンズやズームレンズを光軸Ｑ上で移動させることによってレンズ部２の焦点位置や焦点距離の変更を行う。
【００１９】
絞り駆動機構４は、絞り４ａ及びステッピングモータ等によって構成され、絞り４ａを駆動することによってレンズ部２が集光した光の入射量を調整する。
【００２０】
シャッタ駆動機構５は、シャッタ５ａ及びステッピングモータ等によって構成され、シャッタ５ａを駆動することによって撮像素子６の状態を露光状態または遮光状態に設定する。
【００２１】
撮像素子６は、レンズ部２が集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部７に出力する。
【００２２】
信号処理部７は、撮像素子６から出力される電気信号に増幅等の信号処理を施した後、Ａ／Ｄ変換を行うことによってデジタルの画像データに変換し、システムコントローラ１５を介して揮発性メモリ１４に出力する。なお、撮像素子６および信号処理部７を含む構成は、レンズ部２が集光した光を用いて電子的な画像データを連続的に生成する撮像部として機能する。
【００２３】
音声入出力部８は、マイクやスピーカ等によって構成され、たとえば音声情報の取得または出力を行う。
【００２４】
操作入力部９は、図２および図３に示すように、撮像装置１の電源状態をオン状態またはオフ状態に切換える電源スイッチ９ａと、静止画撮影の指示を与えるレリーズ信号を入力する静止画レリーズスイッチ９ｂと、動画撮影の指示を与えるレリーズ信号を入力する動画レリーズスイッチ９ｃと、撮像装置１の各種撮影モードを切換えるモード切換スイッチ９ｄと、撮像装置１の各種設定を行う操作スイッチ９ｅと、レンズ部２のズーム操作を行うズームスイッチ９ｆとを有する。
【００２５】
表示部１０は、液晶または有機ＥＬ（Electro  Luminescence）等からなる表示パネルを用いて実現される。表示部１０は、撮像素子６が生成する画像データに対応する画像を表示する。撮像装置１の操作情報および撮影に関する情報を適宜表示する。表示部１０は、図３に示すように、表示画面の縦（垂直画素列に平行な方向）と横（水平画素列に平行な方向）との比が９：１６であるが、たとえば表示画面の縦と横との比が３：４であってもよい。
【００２６】
タッチパネル１１は、表示部１０の表示画面上に重ねて設けられる（図３を参照）。タッチパネル１１は、撮影者が表示部１０で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。
【００２７】
記録媒体インタフェース１２は、撮像装置１の外部から装着される記録媒体のメモリカード１２ａに対して画像データ等の情報を記憶する一方、メモリカード１２ａが記憶する情報を読み出す。
【００２８】
不揮発性メモリ１３は、フラッシュメモリ等によって実現される。不揮発性メモリ１３は、撮像装置１を動作させるための各種プログラムや本実施の形態に係る画像変換プログラムを記憶したプログラムコード１３ａと、プログラムの実行中に使用される各種データ等を記憶した制御パラメータ１３ｂとを有する。
【００２９】
揮発性メモリ１４は、ＳＤＲＡＭ（Synchronous  Dynamic  Random  Access  Memory）によって実現される。揮発性メモリ１４は、信号処理部７から出力される画像データやシステムコントローラ１５による処理中の情報が一時的に記録されるワークエリア１４ａを有する。具体的には、揮発性メモリ１４は、撮像素子６が１フレーム（例えば１／３０秒）毎に出力する画像データに対応する画像（ライブビュー画像）や静止画レリーズスイッチ９ｂが操作された際に撮像素子６が出力する画像データに対応する画像等を一時的に記憶する。
【００３０】
システムコントローラ１５は、ＣＰＵ（Central  Processing  Unit）等によって実現され、操作入力部９からの操作信号等に応じて不揮発性メモリ１３のプログラムコード１３ａからプログラムを読み出して実行し、撮像装置１を構成する各部に対する指示やデータの転送等を行って撮像装置１の動作を統括的に制御する。システムコントローラ１５は、画像処理部１５ａと、圧縮・伸長部１５ｂと、ＡＦ制御部１５ｃと、ＡＥ制御部１５ｄと、タイマカウンタ１５ｅと、顔検出部１５ｆと、画素数変換部１５ｇと、画像切出し部１５ｈと、領域設定部１５ｉと、トリミング部１５ｊとを有する。
【００３１】
画像処理部１５ａは、信号処理部７から出力された画像データに対して各種の画像処理を施し、揮発性メモリ１４に出力する。具体的には、画像処理部１５ａは、信号処理部７から出力される画像データに対してエッジ強調、色補正およびγ補正等の処理を施す。
【００３２】
圧縮・伸長部１５ｂは、揮発性メモリ１４のワークエリア１４ａに記憶された画像データをメモリカード１２ａに記憶させる場合またはメモリカード１２ａに記録されている画像データを表示部１０に表示させる場合に、ＪＰＥＧ（Joint  Photographic  Experts  Group）圧縮方式等に基づいて画像データの圧縮処理や伸長処理を行う。
【００３３】
ＡＦ制御部１５ｃは、信号処理部７から出力される画像データに基づいて、自動焦点調整を行う。たとえば、ＡＦ制御部１５ｃは、画像データのコントラストに基づいて、レンズ駆動機構３を駆動し、撮影する被写体像の鮮鋭度が最大となるようにレンズ部２を光軸Ｑ上で移動させる。
【００３４】
ＡＥ制御部１５ｄは、信号処理部７から出力される画像データに基づいて、静止画撮影を行う際の条件、たとえば絞り４ａの設定値、シャッタ速度等を決定することで自動露出を行う。
【００３５】
タイマカウンタ１５ｅは、撮像装置１の動作の基準となる時間信号を生成する。これにより、システムコントローラ１５は、画像データの取得間隔、撮像素子６の露光時間等を設定することができる。
【００３６】
顔検出部１５ｆは、信号処理部７が出力する画像データに対応する画像に含まれる被写体の顔をパターンマッチング等で検出する。なお、本実施の形態１では、顔検出部１５ｆは、人物の顔を検出するようにしているが、たとえば犬や猫等の動物の顔であってもよい。
【００３７】
画素数変換部１５ｇは、信号処理部７から出力される画像データに対して撮像装置１の各種撮影モードに応じた画素数に変換する。具体的には、画素数変換部１５ｇは、画像データを静止画撮影や動画撮影それぞれに対応する画素数に変換する。
【００３８】
画像切出し部１５ｈは、撮像素子６が生成する画像データに含まれる画像に対し、静止画撮影時の画像の縦横比率である第１比率３／４（アスペクト比３：４に対応）と、動画撮影時の画像の縦横比率であって第１比率より小さい縦横比率である第２比率９／１６に（アスペクト比９：１６に対応）との間の縦横比率で切出した撮影画像を生成する。
【００３９】
領域設定部１５ｉは、画像切出し部１５ｈが生成した撮影画像の領域内で縦横比率を固定する固定領域および縦横比率を変換する変換領域を設定する。
【００４０】
トリミング部１５ｊは、領域設定部１５ｉが設定した変換領域の縦横比率を変換することにより、固定領域を含む画像全体の縦横比率が第２比率であるトリミング画像を生成する。
【００４１】
上述した各部を有するシステムコントローラ１５は、静止画撮影中に動画レリーズスイッチ９ｃによって動画撮影の指示が入力された場合、領域設定部１５ｉが設定した変換領域の縦横比率を時系列に沿って小さくしていき、固定領域および変換領域を含む画像全体の縦横比率が第２比率になった時点で変換領域の縦横比率を固定し、この時点以後に生成された撮影画像の画像データを動画データとして揮発性メモリ１４に記憶させる制御を行う。また、システムコントローラ１５は、顔検出部１５ｆが画像切出し部１５ｈによって生成された撮影画像の領域内で検出した被写体の顔領域を少なくとも含む領域を固定領域として設定する。なお、本実施の形態では、システムコントローラ１５が制御部として機能する。
【００４２】
以上の構成を有する撮影画像１が静止画撮影または動画撮影で生成する画像の縦横比率について説明する。図４は、撮像装置１が静止画撮影または動画撮影で生成する画像の縦横比率の一例を示す図である。図４において、図４（ａ）の画像Ｗ１が、画像の縦横比率を本実施の形態１における第１比率で表した静止画撮影時の画像であり、図４（ｂ）の画像Ｗ２が、画像の縦横比率を本実施の形態１における第２比率で表した動画撮影時の画像である。また、第２比率は、第１比率より小さく設定される。具体的には、第１比率がアスペクト比３：４（４８０×６４０ピクセル）に対応する比率であり、第２比率がアスペクト比９：１６（１０８０×１９２０ピクセル）に対応する比率である。
【００４３】
撮像装置１は、撮影者が静止画撮影の撮影中に動画レリーズスイッチ９ｃを操作した場合に、静止画の縦横比率と動画の縦横比率とが異なるにも関わらず、動画撮影を瞬時に開始する。このため、撮影者が意図しない構図（アングル）から動画撮影が開始され、撮影者が所望する領域が画像からはみ出してしまうことがある。具体的には、図４に示すように、被写体の顔の頭部が画像Ｗ２からはみ出し、撮像素子６の撮影領域外のマスク領域Ｍ１に入り込んでしまうことがある。
【００４４】
そこで、このような状況を回避するために、本実施の形態１では、まず、システムコントローラ１５は、顔検出部１５ｆが画像切出し部１５ｈによって生成された撮影画像の領域内で検出した被写体の顔領域を少なくとも含む領域を固定領域として設定する。その後、システムコントローラ１５は、静止画撮影中に動画レリーズスイッチ９ｃによって動画撮影の指示が入力された場合、領域設定部１５ｉが設定した変換領域の縦横比率を時系列に沿って小さくしていき、固定領域および変換領域を含む画像全体の縦横比率が第２比率になった時点で変換領域の縦横比率を固定し、この時点以後に生成された撮影画像の画像データを動画データとしてメモリカード１２ａに記憶させる制御を行う。
【００４５】
図５は、撮像装置１の画像切出し部１５ｈが撮像素子６によって生成された画像データに含まれる画像を切出して生成する撮影画像の縦横比率の変化を示す図である。図５において、静止画撮影中に動画レリーズスイッチ９ｃによって動画撮影の指示が入力された場合、画像切出し部１５ｈが第１比率と第２比率との間の縦横比率で生成する撮影画像のうち代表的な４枚の撮影画像Ｗ１１〜Ｗ１４（図５（ａ）〜（ｄ））を示す。なお、各撮影画像Ｗ１１〜Ｗ１４の間には、複数の撮影画像が存在する。
【００４６】
図５に示すように、画像切出し部１５ｈは、撮像装置１が静止画撮影中（図５（ａ））に撮影者によって動画レリーズスイッチ９ｃが操作（押下）された場合、撮像素子６が生成する画像データに含まれる画像を時系列に沿って第１比率から第２比率に向けて小さくすることによって（３／４→２／３→９／１６）、縦横比率が異なる撮影画像を生成する（撮影画像Ｗ１２→撮影画像Ｗ１３→撮影画像Ｗ１４）。これにより、撮像装置１は、静止画撮影の撮影中に縦横比率が異なる動画撮影に切換えられた場合であっても、撮影者の意図しない構図から動画撮影が瞬時に開始されることを防止することができる。
【００４７】
ここで、撮像装置１が静止画撮影の撮影中に動画撮影に切換えられた場合に表示部１０が表示する画像について説明する。図６は、撮像装置１が静止画撮影の撮影中に縦横比率が異なる動画撮影に切換えられた場合に表示部１０が表示する画像の一例を示す図である。図６において、表示部１０が表示する複数の画像のうち、代表的な４枚の画像Ｗ２１〜Ｗ２４（図６（ａ）〜（ｄ））を示す。なお、各画像Ｗ２１〜Ｗ２４の間には、複数の画像が存在する。
【００４８】
図６に示すように、表示部１０は、撮像装置１が静止画撮影の撮影中（図６（ａ））に撮影者によって動画レリーズスイッチ９ｃが操作（押下）された場合、画像切出し部１５ｈが生成した撮影画像（図５（ａ）〜（ｂ）を参照）の縦横比率に関わらず、第２比率の撮影画像に一致する画像を表示する（図６（ｂ）〜（ｃ））。その後、表示部１０は、画像切出し部１５ｈによって生成される撮影画像の縦横比率が第２比率になった時点（図５（ｄ））から通常の動画撮影で生成される第２比率の撮影画像（図６（ｄ））を表示する。これにより、撮影者は、表示部１０に表示される画像を見ながら、意図しない構図から動画撮影が行われないように撮像装置１の構図を所望の領域に合わせながら撮影を行うことができる。
【００４９】
つぎに、本実施の形態１に係る撮像装置１が行う処理について説明する。図７は、撮像装置１が行う処理の概要を示すフローチャートである。
【００５０】
図７において、まず、システムコントローラ１５は、撮像装置１の電源がオンになっているか否かを判断する（ステップＳ１０１）。撮像装置１の電源がオンになっている場合（ステップＳ１０１：Ｙｅｓ）、撮像装置１はステップＳ１０２に移行する。一方、撮像装置１の電源がオンになっていない場合（ステップＳ１０１：Ｎｏ）、撮像装置１は本処理を終了する。
【００５１】
続いて、システムコントローラ１５は、表示部１０に撮像素子６が生成する画像データに対応するライブビュー画像（スルー画像）を表示させる（ステップＳ１０２）。具体的には、システムコントローラ１５は、図６（ａ）に示す撮影画像Ｗ２１（アスペクト比３：４）を表示部１０に表示させる。
【００５２】
その後、顔検出部１５ｆは、撮像素子６が生成する画像データに対応する画像に対して被写体の顔の検出を開始する（ステップＳ１０３）。
【００５３】
続いて、システムコントローラ１５は、撮影者によって静止画レリーズスイッチ９ｂが操作されて静止画撮影のレリーズ信号が入力されたか否かを判断する（ステップＳ１０４）。静止画撮影のレリーズ信号が入力された場合（ステップＳ１０４：Ｙｅｓ）、撮像装置１はステップＳ１０５に移行する。一方、静止画撮影のレリーズ信号が入力されない場合（ステップＳ１０４：Ｎｏ）、撮像装置１はステップＳ１０７に移行する。
【００５４】
まず、撮影者によって静止画レリーズスイッチ９ｂが操作されて静止画撮影のレリーズ信号が入力された場合（ステップＳ１０４：Ｙｅｓ）について説明する。この場合、システムコントローラ１５は、現在の表示部１０が表示するライブビュー画像に対して撮影を行い（ステップＳ１０５）、撮像素子６によって生成されて画像データに対して信号処理部７及び画像処理部１５ａで各種の画像処理を施してワークエリア１４ａに一時的に記憶させる。
【００５５】
その後、システムコントローラ１５は、ワークエリア１４ａに記憶された画像データを圧縮・伸長部１５ｂで圧縮等の処理を施してメモリカード１２ａに記憶させ（ステップＳ１０６）、撮像装置１はステップＳ１０１に戻る。
【００５６】
つぎに、撮影者によって静止画レリーズスイッチ９ｂが操作されていない場合（ステップＳ１０４：Ｎｏ）について説明する。この場合、システムコントローラ１５は、撮影者によって動画レリーズスイッチ９ｃが操作されて動作撮影開始のレリーズ信号が入力されたか否かを判断する（ステップＳ１０７）。動画撮影開始のレリーズ信号が入力された場合（ステップＳ１０７：Ｙｅｓ）、撮像装置１はステップＳ１０８に移行する。一方、動画撮影開始のレリーズ信号が入力されない場合（ステップＳ１０７：Ｎｏ）、撮像装置１はステップＳ１０４に戻る。
【００５７】
続いて、システムコントローラ１５は、撮像素子６が一定の微小な時間間隔で連続的に生成する画像データをワークエリア１４ａに一時的に記憶させる動画撮影を開始する（ステップＳ１０８）。
【００５８】
その後、システムコントローラ１５は、顔検出部１５ｆが撮像素子６によって生成された画像データに対応する画像内で被写体の顔を検出したか否かを判断する（ステップＳ１０９）。顔検出部１５ｆが撮像素子６によって生成された画像データに対応する画像内で被写体の顔を検出した場合（ステップＳ１０９：Ｙｅｓ）、撮像装置１はステップＳ１１０に移行する。一方、顔検出部１５ｆが撮像素子６によって生成された画像データに対応する画像内で被写体の顔を検出していない場合（ステップＳ１０８：Ｎｏ）、撮像装置１はステップＳ１１１に移行する。
【００５９】
まず、顔検出部１５ｆが撮像素子６によって生成された画像データに対応する画像内で被写体の顔を検出した場合（ステップＳ１０９：Ｙｅｓ）について説明する。この場合、システムコントローラ１５は、後述する画像変換処理を実行し（ステップＳ１１０）、撮像装置１はステップＳ１１３に移行する。
【００６０】
つぎに、顔検出部１５ｆが撮像素子６によって生成された画像データに対応する画像内で被写体の顔を検出していない場合（ステップＳ１０９：Ｎｏ）について説明する。この場合、システムコントローラ１５は、画像切出し部１５ｈが撮像素子６によって生成される画像データに含まる画像を切出して生成する撮影画像の縦横比率を第１比率から第２比率に変更する（ステップＳ１１１）。この場合、ワークエリア１４ａは、画像切出し部１５ｈによって一定の微小な時間間隔で連続的に生成される複数の撮影画像を一時的に記憶する。
【００６１】
続いて、システムコントローラ１５は、画素数変換部１５ｇが変換する画像データの画素数数を静止画撮影の画素数から動画撮影の画素数に変更し（ステップＳ１１２）、撮像装置１はステップＳ１１３に移行する。
【００６２】
その後、システムコントローラ１５は、撮像装置１が撮影中であって動画撮影終了の操作が入力されたか否かを判断する（ステップＳ１１３）。具体的には、システムコントローラ１５は、撮影者によって動画レリーズスイッチ９ｃが操作されたか否かを判断する。動画撮影終了の操作が入力された場合（ステップＳ１１３：Ｙｅｓ）、撮像装置１はステップＳ１１４に移行する。一方、動画撮影終了の操作が入力されない場合（ステップＳ１１３：Ｎｏ）、撮像装置１は、この判断を繰り返し、動画撮影を続ける。
【００６３】
ステップＳ１１４において、システムコントローラ１５は、ワークエリア１４ａに記憶された一連の動画データである撮影画像を圧縮・伸長部１５ｂで圧縮してメモリカード１２ａに記憶させ、撮像装置１における動画撮影を終了する制御を行い、撮像装置１はステップＳ１０１に戻る。
【００６４】
図８は、図７の画像変換処理の概要を示すフローチャートである。図９は、撮像装置１の画像変換処理のタイムチャートである。図１０および図１１は、撮像装置１の画像変換処理を説明する図である。なお、図９においては、画像変換処理の各期間で生成される画像のうち、代表的な画像（Ｗ２２〜Ｗ２４）を抽出して表示している。
【００６５】
図８に示すように、まず、システムコントローラ１５は、画像切出し部１５ｈが撮像素子６によって生成される画像データに含まれる画像を切出して生成する撮影画像の縦横比率を第１比率に設定する（ステップＳ２０１）。具体的には、図１０（ａ）に示すように、画像切出し部１５ｈは、撮像素子６が生成する画像データに含まれる画像を第１比率（アスペクト比３：４）で切出して撮影画像Ｗ３１を生成する。
【００６６】
その後、システムコントローラ１５は、画素数変換部１５ｇが変換する画像データの画素数を静止画の画素数から動画の画素数に変更する（ステップＳ２０２）。
【００６７】
続いて、システムコントローラ１５は、顔検出部１５ｆが画像切出し部１５ｈによって生成された撮影画像内で検出した被写体の顔を含む領域を、撮影画像の縦横比率に関わらず撮影画像内で縦横比率が固定される固定領域として設定する（ステップＳ２０３）。具体的には、図１０（ｂ）に示すように、システムコントローラ１５は、顔検出部１５ｆが撮影画像Ｗ３２から検出した被写体の顔領域Ｇ１を少なくとも含む領域を撮影画像内で縦横比率が固定される固定領域Ｒ１として設定する。
【００６８】
その後、領域設定部１５ｉは、画像切出し部１５ｈによって生成された撮影画像の領域内に設定された縦横比率が固定される固定領域の位置情報と撮影画像の縦横比率とに基づいて、縦横比率を変換する変換領域を設定する（ステップＳ２０４）。具体的には、図１０（ｂ）に示すように、領域設定部１５ｉは、システムコントローラ１５が設定した固定領域Ｒ１の位置情報と撮影画像Ｗ３２の縦横比率（第１比率）とに基づいて、変換領域Ｒ２を設定する。
【００６９】
続いて、トリミング部１５ｊは、領域設定部１５ｉが設定した変換領域Ｒ２の縦横比率を変換することにより、固定領域Ｒ１を含む画像全体の縦横比率が第２比率であるトリミング画像を生成する（ステップＳ２０５）。具体的には、図１０（ｂ）〜（ｃ）に示すように、トリミング部１５ｊは、撮影画像Ｗ３２の変換領域Ｒ２を固定領域Ｒ１から外縁に向けて水平方向に引き伸ばすことにより、固定領域Ｒ１を含む画像全体の縦横比率が第２比率であるトリミング画像Ｗ３３を生成する。
【００７０】
図１２は、トリミング部１５ｊがトリミング画像を生成する生成方法の概要を説明する模式図である。図１２において、帯状領域ｄ１は、水平方向に引き伸ばす前の変換領域Ｒ２における画像データの垂直画素列の元データを示し、帯状領域ｄ２は、変換領域Ｒ２の画像データから線形補間等で求めた補間データを示す。図１２に示すように、トリミング部１５ｊは、変換領域Ｒ２における画像データの垂直画素列を固定領域Ｒ１から外縁に向けて等間隔に配置することによって、変換領域Ｒ２を水平方向に引き伸ばす。これにより、トリミング部１５ｊは、第１比率の撮像画像Ｗ３２を、固定領域Ｒ１を含む全体画像の縦横比率が第２比率を有するトリミング画像に生成することができる。なお、図１２においては、垂直画素列と垂直画素列との間に補間データを１列ずつ挿入していたが、たとえば、垂直画素列と垂直画素列との間に補間データを２列挿入してもよく、撮影画像の縦横比率に応じて補間データの挿入数を設定するようにすればよい。
【００７１】
ステップＳ２０６において、システムコントローラ１５は、トリミング部１５ｊが時系列に沿って連続的に変換したトリミング画像をワークエリア１４ａに規定フレーム数記憶させたか否かを判断する。具体的には、図９に示すように、システムコントローラ１５は、トリミング部１５ｊが時系列にそって連続的に生成するトリミング画を規定フレーム数、たとえば１０フレーム（１０枚）をワークエリア１４ａに記憶させたか否かを判断する。この規定フレーム数の画像中には、たとえば図９に示す画像Ｗ２２や図１０（ｄ）の画像Ｗ３４が含まれる。トリミング画像がワークエリア１４ａに規定フレーム数記憶された場合（ステップＳ２０６：Ｙｅｓ）、撮像装置１はステップＳ２０７に移行する。一方、トリミング画像がワークエリア１４ａに規定フレーム数記憶されていない場合（ステップＳ２０６：Ｎｏ）、撮像装置１はこの処理を繰り返す。
【００７２】
続いて、システムコントローラ１５は、画像切出し部１５ｈが撮像素子６によって生成される画像データに含まれる画像を切出して生成する撮影画像の縦横比率を変更する（ステップＳ２０７）。具体的には、図１１（ａ）に示すように、画像切出し部１５ｈは、撮像素子６が生成する画像データに含まれる画像の縦横比率をアスペクト比２：３の縦横比率で切り出して撮影画像Ｗ４１を生成する。
【００７３】
続いて、システムコントローラ１５は、画素数変換部１５ｇが変換する画像データの画素数を静止画の画像数から動画の画素数に変更する（ステップＳ２０８）。
【００７４】
その後、システムコントローラ１５は、顔検出部１５ｆが画像切出し部１５ｈによって生成された撮影画像内で検出した被写体の顔を含む領域を、撮影画像の縦横比率に関わらず固定する固定領域として設定する（ステップＳ２０９）。具体的には、図１１（ｂ）に示すように、システムコントローラ１５は、撮影画像Ｗ４２の縦横比率に関わらず、顔検出部１５ｆが撮影画像Ｗ４２から検出した被写体の顔領域Ｇ１１を少なくとも含む領域を固定領域Ｒ１１として設定する。
【００７５】
続いて、領域設定部１５ｉは、画像切出し部１５ｈによって生成された撮影画像の領域内に設定された固定領域の位置情報と撮影画像の縦横比率に基づいて、縦横比率を変換する変換領域を設定する（ステップＳ２１０）。具体的には、図１１（ｂ）に示すように、領域設定部１５ｉは、システムコントローラ１５が設定した固定領域Ｒ１１の位置情報と撮影画像Ｗ４２の縦横比率に基づいて、縦横比率を変換する変換領域Ｒ１２を設定する。
【００７６】
その後、トリミング部１５ｊは、領域設定部１５ｉが設定した変換領域Ｒ１２の縦横比率を変換することにより、固定領域Ｒ１１を含む画像全体の縦横比率が第２比率であるトリミング画像を生成する（ステップＳ２１１）。具体的には、図１１（ｂ）〜（ｃ）に示すように、トリミング部１５ｊは、撮影画像Ｗ４２の変換領域Ｒ１２を固定領域Ｒ１１から外縁に向けて水平方向に引き伸ばすことにより、固定領域Ｒ１１を含む画像全体の縦横比率が第２比率であるトリミング画像Ｗ４３を生成する。なお、トリミング部１５ｊは、ステップＳ２１１においても、ステップＳ２０５と同様の方法でトリミング画像Ｗ４３を生成する。
【００７７】
続いて、システムコントローラ１５は、トリミング部１５ｊが時系列に沿って連続的に変換したトリミング画像をワークエリア１４ａに規定フレーム数記憶させたか否かを判断する（ステップＳ２１２）。具体的には、図９に示すように、システムコントローラ１５は、トリミング部１５ｊが時系列にそって連続的に変換するトリミング画像の規定フレーム数（１１〜２０）をワークエリア１４ａに記憶させたか否かを判断する。この規定フレーム数の画像の中には、たとえば図９に示す画像Ｗ２３や図１１（ｄ）の画像Ｗ４４が含まれる。トリミング画像がワークエリア１４ａに規定フレーム数記憶された場合（ステップＳ２１２：Ｙｅｓ）、撮像装置１はステップＳ２１３に移行する。一方、トリミング画像がワークエリア１４ａに規定フレーム数記憶されていない場合（ステップＳ２１２：Ｎｏ）、撮像装置１は、この処理を繰り返す。
【００７８】
その後、システムコントローラ１５は、画像切出し部１５ｈが撮像素子６によって生成される画像データに含まれる画像を切出して生成する撮像画像の縦横比率を第２比率に変更する（ステップＳ２１３）。
【００７９】
続いて、システムコントローラ１５は、画素数変換部１５ｇが変換する画像データの画素数を動画の画素数に変換する（ステップＳ２１４）。
【００８０】
その後、システムコントローラ１５は、画像切出し部１５ｈが撮像素子６によって生成される画像データに含まれる画像を第２比率で切り出して生成した撮影画像をワークエリア１４ａに一時的に記憶させる通常の動画撮影を開始し（ステップＳ２１５）、撮像装置１はメインルーチンに戻る。具体的には、図９に示すように、システムコントローラ１５は、画像切出し部１５ｈが時系列に沿って連続的に切出して生成した第２比率の撮影画像Ｗ２４をワークエリア１４ａに一時的に記憶させる。
【００８１】
以上説明した本発明の実施の形態１では、まず、システムコントローラ１５は、顔検出部１５ｆが画像切出し部１５ｈによって生成された撮影画像の領域内で検出した被写体の顔領域を少なくとも含む領域を固定領域として設定する。その後、システムコントローラ１５は、静止画撮影中に動画レリーズスイッチ９ｃによって動画撮影の指示が入力された場合、領域設定部１５ｉが設定した変換領域の縦横比率を時系列に沿って小さくしていき、固定領域および変換領域を含む画像全体の縦横比率が第２比率になった時点で変換領域の縦横比率を固定し、この時点以後に生成された撮影画像の画像データを動画データとしてメモリカード１２ａに記憶させる制御を行う。この結果、静止画撮影中にアスペクト比が異なる動画撮影に切換えられた場合に、撮影者が意図しない構図から動画撮影が開始されることを防止することができる。さらに、撮影者は、画像切出し部１５ｈが生成する撮影画像の縦横比率が時系列に沿って小さくなるので、被写体が画像からはみ出す前に撮像装置１の構図を変更することができる。
【００８２】
また、上述した本発明の実施の形態１では、システムコントローラ１５は、トリミング部１５ｊが時系列に沿って連続的に変換するトリミング画像を所定の規定フレーム数ごとにワークエリア１４ａに一時的に記憶させていたが、たとえば、画像切出し部１５ｈによって生成される撮影画像の縦横比率が第２比率に近づくにつれてトリミング部１５ｊが変換するトリミング画像の数を少なくしてもよい。具体的には、図１６に示すように、システムコントローラ１５は、画像切出し部１５ｈが生成する撮影画像の第１比率の場合、トリミング部１５ｊが時系列に沿って連続的に変換するトリミング画像の枚数をワークエリア１４ａに１５枚記憶させ、画像切出し部１５ｈが生成する撮影画像のアスペクト比２：３の値の場合、トリミング部１５ｊが時系列に沿って連続的に変換するトリミング画像の枚数をワークエリア１４ａに１０枚記憶させる。これにより、撮影者は、被写体が撮影領域からはみ出す前に撮像装置１の構図を変更する時間的余裕がより持てる。
【００８３】
（実施の形態２）
つぎに、本実施の形態２について説明する。上述した本実施の形態１では、トリミング部１５が、変換領域における画像データの垂直画素列を固定領域から外縁に向けて等間隔に配置することによって第２比率のトリミング画像を生成していたが、本実施の形態２では、トリミング部が、変換領域における画像データの垂直画素列の隣接する垂直画素列とのピッチ幅を固定領域から離れるほど大きくすることによって第２比率のトリミング画像を生成する。なお、本実施の形態２の撮像装置は、上述した本実施の形態１の撮像装置１と同様の構成を有し、トリミング画像の生成方法のみ異なる。このため、本実施の形態２では、トリミング部によるトリミング画像の生成方法のみ説明する。
【００８４】
図１４は、本実施の形態２に係る撮像装置１のトリミング部１５ｊが生成するトリミング画像の生成方法の概要を説明する模式図である。図１４において、帯状領域ｄ１１が、水平方向に引き伸ばす前の変換領域Ｒ２における画像データの垂直画素列の元データを示し、帯状領域ｄ１２が、水平方向に引き伸ばす前の変換領域Ｒ２における画像データの垂直画素列の元データを所定のピッチ間隔で引き伸ばした際に隣接する画素データから線形補間等で求めた補間データを示す。なお、図１４においては、第１比率の撮影画像を第２比率のトリミング画像に生成する場合について説明する。
【００８５】
図１４に示すように、トリミング部１５ｊは、変換領域Ｒ２における画像データの垂直画素列を固定領域Ｒ１から外縁に向けて離れるほど隣接する垂直画素列のピッチ幅を大きくすることによって、変換領域Ｒ２を水平方向に引き伸ばす。これにより、トリミング部１５ｊは、第１比率を有する撮像画像Ｗ３２を、固定領域Ｒ１を含む全体画像の縦横比率が第２比率を有するトリミング画像Ｗ３３に生成することができる。
【００８６】
つぎに、トリミング部１５ｊが変換領域Ｒ２の各垂直画素列をそれぞれ水平方向に引き伸ばす際のピッチ幅の算出方法について説明する。図１５は、トリミング部１５ｊが変換領域Ｒ２の各垂直画素列をそれぞれ水平方向に引き伸ばす際のピッチ幅の算出方法を説明する図である。図１５において、原点が固定領域Ｒ１と変換領域Ｒ２との境界を示し（図１４参照）、横軸が変換領域Ｒ２における画像データの垂直画素列の位置を示し、縦軸が固定領域Ｒ１から各垂直画素列をそれぞれ水平方向に引き伸ばした際のピッチ幅を示す。なお、図１５では、一つの変換領域Ｒ２（図１４の右領域）のみについて説明するが、他方の変換領域Ｒ２（図１４の左領域）も同様の算出方法によってピッチ幅が算出される。
【００８７】
図１５に示すように、トリミング部１５ｊは、固定領域Ｒ１に最も近い変換領域Ｒ２の垂直画素列をＪ１とし、順にＪ２、Ｊ３・・・Ｊｎとしたとき（図１４参照）、各垂直画素列がそれぞれ固定領域Ｒ１から離れるにしたがって（Ｊ１→Ｊ２→Ｊ３→・・・Ｊｎ）、直線Ｌ１に沿って各垂直画素列それぞれの間のピッチ幅を大きくする。具体的には、直線Ｌ１は、以下の式（１）で設定される。
【数１】
2011259244.tif 000003
【００８８】
式（１）は、水平方向に引き伸ばす前の変換領域Ｒ２における垂直画素列の数を用いて設定する。具体的には、各垂直画素列は、水平方向に引き伸ばす前の変換領域Ｒ２内でそれぞれ密に隣接している。このため、変換領域Ｒ２における垂直画素列の端部の位置をｎとした場合、式（１）に基づいて算出される固定領域Ｒ１からのピッチ幅が変換領域Ｒ２における垂直画素列の間のピッチ幅の総和Ｓ（Ｐ１＋Ｐ２＋Ｐ３＋・・・Ｐｎ）となる。すなわち、ピッチ幅の総和Ｓは、ｎが十分に大きいので、直線Ｌ１と直線Ｌ２（ｘ＝ｎ）と横軸Ｘとで囲まれた範囲の面積となる。よって、近似的に以下の関係が成立する。
【数２】
2011259244.tif 000004
【００８９】
式（２）の右辺は、水平方向に引き伸ばし後の変換領域Ｒ２における補間データ（図１４を参照）を含めた垂直画素列の総数であり、この総数をｍとおき、式（２）に式（１）を代入すると、次式（３）が成立する。
【数３】
2011259244.tif 000005
【００９０】
この結果、直線Ｌ１の傾きａは以下の式（４）になる。
【数４】
2011259244.tif 000006
【００９１】
ここで、上述した算出方法を用いて本実施の形態におけるアスペクト比を用いて垂直画素列のピッチ幅を算出する。以下、具体例として、第１比率の垂直方向のデータ数が第２比率の垂直方向のデータ数（１０８０）になった時点で垂直画素列の５０％を固定領域Ｒ１とした場合において、変換領域Ｒ２を水平方向に引き伸ばすことによって、固定領域Ｒ１を含む画像全体の縦横比率が第２比率であるトリミング画像（１０８０×１４４０ピクセル→１０８０×１９２０ピクセル）を生成する場合を示す。なお、上述した算出方法は、一次関数を用いた線形伸張だけでなく、二次関数等を用いた場合の線形伸長にも適用することができる。
【００９２】
まず、垂直画素列の５０％を固定領域Ｒ１とした場合、第１比率の片側の変換領域Ｒ２の垂直画素列数ｎは、
ｎ＝（１４４０−１４４０×０．５）／２＝３６０
となる。
そして、第２比率の変換領域Ｒ２の補間データを含む垂直画素列数ｍは、
ｍ＝（１９２０−１４４０×０．５）／２＝６００
となる。よって、式（４）より
ａ＝２ｍ／ｎ２＝２×６００／３６０２＝０．０９２５９・・・（５）
となる。
【００９３】
図１６は、上述した算出結果の式（５）を用いて算出した変換領域Ｒ２における画像データの隣接する垂直画素列の各ピッチ幅の結果を示す図である。図１６に示すように、算出結果テーブルＴ１は、引き伸ばし前の垂直画素列の位置ｎと、式（１）の結果（ａ×ｎ）と、ピッチ幅Ｐｎと、引き伸ばし後の垂直画素列の位置Ｋｎとが記載されている。
【００９４】
図１６に示すように、式（１）の計算結果が「１」より小さい値となった場合は算出結果を切り上げてピッチ幅Ｐｎを「１」とする。具体的には、引き伸ばし前の垂直画素列の位置「１」の場合、式（１）の算出結果が「１」より小さい「０．００９２５９」であるため、ピッチ幅Ｐｎを「１」とする。
【００９５】
また、図１６に示すように、ピッチ幅Ｐｎは、整数の値になる必要があるため、式（１）の計算結果が「１」以上の場合も小数点以下を切り捨て、切り上げまたは四捨五入等の処理を行う必要がある。たとえば、引き伸ばし前の垂直画素列の位置［１］〜［１６０］までピッチ幅がそれぞれ［１］となる。しかしながら、何れかの方法で処理を行った場合、小数点以下の誤差が蓄積し、引き伸ばし前の変換領域Ｒ２の画像データの端部の配置位置が引き伸ばし後の変換領域Ｒ２の位置に対して大幅に足りない位置やオーバーした位置になる可能性がある。
【００９６】
そこで、本実施の形態２では、ピッチ幅Ｐｎを算出する際に切り捨てと四捨五入とを引き伸ばし前の垂直画素列を１列単位で交互に行う。たとえば、引き伸ばし前の垂直画素列の位置「１６０」〜「１６４」の算出結果に示すように交互に切り捨てと四捨五入とを行う。この場合、引き伸ばし前の垂直画素列の位置「１６０」〜「１６４」のピッチ幅Ｐｎがそれぞれ「１」、「１」、「２」、「１」および「２」になる。そして、引き伸ばし前の垂直画素列の位置「１６２」のピッチ幅Ｐｎが「２」となるため、引き伸ばし後の垂直画素列の位置Ｋｎが「１６３」となる。
【００９７】
また、引き伸ばし前の変換領域Ｒ２における垂直画素列の画像データの端部の位置が引き伸ばし後の変換領域Ｒ２における垂直画素列の画像データの端部に一致しない場合に、引き伸ばし後の変換領域Ｒ２の垂直画素列の画像データを線形補間等で求めた補間データを挿入する。たとえば、引き伸ばし後に垂直画素列の位置「５９７」〜「６００」に示すように線形補間で求めた補間データを挿入する。これにより、トリミング部１５ｊは、第１比率を有する撮像画像Ｗ３２を、固定領域Ｒ１を含む全体画像の縦横比率が第２比率を有するトリミング画像に生成することができる。
【００９８】
以上説明した本発明の実施２の形態では、上述した本実施の形態と同様に、静止画撮影中にアスペクト比が異なる動画撮影に切換えられた場合に、撮影者が意図しない構図から動画撮影が開始されることを防止することができる。さらに、撮影者は、画像切出し部１５ｈが生成する撮影画像の縦横比率が時系列に沿って小さくなるので、被写体が画像からはみ出す前に撮像装置１の構図を変更することができる。
【００９９】
また、本発明の実施の形態１，２では、システムコントローラ１５は、顔検出部１５ｆが検出した被写体の顔領域を少なくとも含む領域を固定領域として設定していたが、たとえば、タッチパネル１１における外部からの物体の接触位置に応じた領域を固定領域として設定してもよい。これにより、被写体が人物でない場合であっても、撮影者が所望する領域が撮影領域からはみ出すことを防止することができる。
【０１００】
また、本発明の実施の形態１，２では、画像切出し部１５ｈが生成する撮影領域の中央を固定領域としていたが、たとえば、撮影領域の左領域を固定領域としてもよい。これにより、被写体が撮像装置１の撮影領域の中央に存在しなくても被写体が撮影領域からはみ出すことを防止することができる。
【０１０１】
また、本発明の実施の形態１，２では、静止画撮影時の画像の縦横比率である第１比率が３／４（アスペクト比３：４に対応）であったが、たとえば第１比率を２／３（アスペクト比２：３に対応）としてもよい。要は、第１比率の縦横比率が第２比率より大きければよい。
【０１０２】
また、本発明の実施の形態１，２では、システムコントローラ１５は、画像切出し部１５ｈが生成する撮影画像の縦横比率を段階的に変更していたが、たとえば一次関数になるように一定の傾斜で縦横比率を変更してもよい。
【０１０３】
また、本発明の実施の形態１，２では、撮像装置１を一眼デジタルカメラとして説明しているが、例えばデジタルビデオカメラやカメラ付き携帯電話など、静止画撮影と動画撮影とを行うことができる各種電子機器に適用することができる。
【符号の説明】
【０１０４】
１            撮像装置
２            レンズ部
３            レンズ駆動機構
４            絞り駆動機構
４ａ          絞り
５            シャッタ駆動機構
５ａ          シャッタ
６            撮像素子
７            信号処理部
８            音声入出力部
９            操作入力部
９ａ          電源スイッチ
９ｂ          静止画レリーズスイッチ
９ｃ          動画レリーズスイッチ
９ｄ          モード切換スイッチ
９ｅ          操作スイッチ
９ｆ          ズームスッチ
１０          表示部
１１          タッチパネル
１２          記録媒体インタフェース
１２ａ        メモリカード
１３          不揮発性メモリ
１４          揮発性メモリ
１５          システムコントローラ
１５ａ        画像処理部
１５ｂ        圧縮・伸長部
１５ｃ        ＡＦ制御部
１５ｄ        ＡＥ制御部
１５ｅ        タイマカウンタ
１５ｆ        顔検出部
１５ｇ        画素数変換部
１５ｈ        画像切出し部
１５ｉ        領域設定部
１５ｊ        トリミング部
Ｑ            光軸
【図１】
2011259244.tif 000007
【図２】
2011259244.tif 000008
【図３】
2011259244.tif 000009
【図４】
2011259244.tif 000010
【図５】
2011259244.tif 000011
【図６】
2011259244.tif 000012
【図７】
2011259244.tif 000013
【図８】
2011259244.tif 000014
【図９】
2011259244.tif 000015
【図１０】
2011259244.tif 000016
【図１１】
2011259244.tif 000017
【図１２】
2011259244.tif 000018
【図１３】
2011259244.tif 000019
【図１４】
2011259244.tif 000020
【図１５】
2011259244.tif 000021
【図１６】
2011259244.tif 000022